(57)【要約】【課題】第三者が真偽識別パターンを偽造しても意味がない真正品認証システムを提供する。【解決手段】製品１にＱＲコード３と第１の暗証コード４からなる真正品認証タグ２を貼付しておき、携帯情報端末１０がＱＲコード３を読み取ると共に第１の暗証コード４が入力されると、真偽認証サーバ４０に真正品認証の要求を行う。これに対し、真偽認証サーバ４０は、データベース４２を参照して、ＱＲコード３及び第１の暗証コード４が共に一致する場合に、"真"と判定し、データベース４２におけるＱＲコード３と紐付けされている第１の暗証コード４を第２の暗証コード５に更新し、携帯情報端末１０に"真"の判定結果及び第２の暗証コード５を返信する。【選択図】図１
2017091450.tif 000002
【特許請求の範囲】
【請求項１】
製品に貼付するＱＲコードと、前記ＱＲコードと対応付けられている第１の暗証コードと、からなる真正品認証タグと、
前記真正品認証タグの前記ＱＲコードを読み取ると共に前記第１の暗証コードが入力されることにより真正品認証の要求を行う携帯情報端末と、
前記携帯情報端末から前記ＱＲコード及び前記第１の暗証コードを受信すると、データベースを参照して、前記ＱＲコード及び前記第１の暗証コードが共に一致する場合は、"真"と判定し、前記データベースにおける前記ＱＲコードと紐付けされている前記第１の暗証コードを前記第１の暗証コードとは異なる第２の暗証コードに更新し、前記携帯情報端末に"真"の判定結果及び前記第２の暗証コードを返信する真偽認証サーバと、
を有することを特徴とする真正品認証システム。
【請求項２】
前記第２の暗証コードは、前記第１の暗証コードから予測困難なコードであることを特徴とする請求項１に記載の真正品認証システム。
【請求項３】
前記真偽認証サーバは、
前記携帯情報端末から真正品認証の要求がされる毎に、前記携帯情報端末の所有者に課金を行う課金手段を有することを特徴とする請求項１に記載の真正品認証システム。
【請求項４】
前記真偽認証サーバは、
前記データベースにおける前記ＱＲコードと紐付けされている前記第１の暗証コードを前記第１の暗証コードとは異なる第２の暗証コードに更新する毎に、真正品認証の要求をした前記携帯情報端末の所有者に課金を行う課金手段を有することを特徴とする請求項１に記載の真正品認証システム。
【請求項５】
前記第１の暗証コードは、目隠しシールで覆われていることを特徴とする請求項１に記載の真正品認証システム。
【請求項６】
携帯情報端末が、製品に貼付されている真正品認証タグ中のＱＲコードを読み取り、
前記製品の所有者に付与されている前記ＱＲコードと紐付けされた第１の暗証コードが入力されると、前記携帯情報端末は、前記ＱＲコードと前記第１の暗証コードを真偽認証サーバに送信して真正品認証の要求を行い、
前記真偽認証サーバは、データベースを参照し、前記ＱＲコードと前記第１の暗証コードが共に一致する場合は、"真"と判定し、前記第１の暗証コードを前記第１の暗証コードとは異なる第２の暗証コードに更新し、前記携帯情報端末へ、"真"の判定結果及び前記第２の暗証コードを返信する
ことを特徴とする真正品認証方法。
【請求項７】
前記真偽認証サーバは、
前記携帯情報端末から真正品認証の要求がされる毎に、前記携帯情報端末の所有者に課金を行うことを特徴とする請求項６に記載の真正品認証方法。
【発明の詳細な説明】
【技術分野】
【０００１】
本発明は、真正品認証システムおよび真正品認証方法に関するものである。
【背景技術】
【０００２】
ブランド商品や美術品等の価値は、真正品と偽造品とで著しく異なる。ブランド商品や美術品等を購入する消費者は、真正品や本物の美術品をなるべく安い価格で手に入れたいという欲求を持っている。このような消費者の欲求に対し、ブランド商品を偽造した偽造品や美術品の贋作が巷に出回り、偽造者や贋作者が暴利を貪り、偽物を購入した消費者が失望するといった実態がある。
【０００３】
このような実態に対して、ブランド商品や美術品等を購入する消費者は、多少価格が高くても真正品を手に入れたいという要求を持っている。
【０００４】
従来、例えば、下記特許文献１には、偽造防止技術に関し、偽造するのが難しい天然材料または確率論的に形成された人造の三次元材料の固有の構造特性を真偽識別パターンとして用いる真偽識別方法が提案されている。
【先行技術文献】
【特許文献】
【０００５】
【特許文献１】特表２００２−５２２２６５号公報
【発明の概要】
【発明が解決しようとする課題】
【０００６】
特許文献１で提案されている真偽識別方法は、偽造するのが難しい材料の構造上のパターンを用いることにより、真偽識別方法として一定の効果を奏すると考えられる。
【０００７】
しかしながら、近年、３Ｄプリンタ等に代表される複製技術の進歩により、材料の構造上のパターンについても精密に複製することが可能になり、偽造される虞が出てきている。
【０００８】
そこで、本発明は、第三者が真偽識別パターンを偽造しても意味がない真正品認証システム及び真正品認証方法を提供することを目的とする。
【課題を解決するための手段】
【０００９】
本発明の第１の側面の真正品認証システムは、製品に貼付するＱＲコード（登録商標）と、前記ＱＲコードと対応付けられている第１の暗証コードと、からなる真正品認証タグと、前記真正品認証タグの前記ＱＲコードを読み取ると共に前記第１の暗証コードが入力されることにより真正品認証の要求を行う携帯情報端末と、前記携帯情報端末から前記ＱＲコード及び前記第１の暗証コードを受信すると、データベースを参照して、前記ＱＲコード及び前記第１の暗証コードが共に一致する場合は、"真"と判定し、前記データベースにおける前記ＱＲコードと紐付けされている前記第１の暗証コードを前記第１の暗証コードとは異なる第２の暗証コードに更新し、前記携帯情報端末に"真"の判定結果及び前記第２の暗証コードを返信する真偽認証サーバと、を有することを特徴とする。
【００１０】
第２の側面の真正品認証方法は、携帯情報端末が、製品に貼付されている真正品認証タグ中のＱＲコードを読み取り、前記製品の所有者に付与されている前記ＱＲコードと紐付けされた第１の暗証コードが入力されると、前記携帯情報端末は、前記ＱＲコードと前記第１の暗証コードを真偽認証サーバに送信して真正品認証を問合せ、前記真偽認証サーバは、データベースを参照し、前記ＱＲコードと前記第１の暗証コードが共に一致する場合は、"真"と判定し、前記第１の暗証コードを前記第１の暗証コードとは異なる第２の暗証コードに更新し、前記携帯情報端末へ、"真"の判定結果及び前記第２の暗証コードを返信することを特徴とする。
【発明の効果】
【００１１】
本発明の真正品認証システムおよび真正品認証方法によれば、製品にＱＲコードとＱＲコードと対応付けられている第１の暗証コードからなる真正品認証タグを貼付しておき、携帯情報端末がＱＲコードを読み取ると共に第１の暗証コードが入力されると、真偽認証サーバに真正品認証の要求を行う。これに対し、真偽認証サーバは、データベースを参照して、ＱＲコード及び第１の暗証コードが共に一致する場合に、"真"と判定し、データベースにおけるＱＲコードと紐付けされている第１の暗証コードを第１の暗証コードとは異なる第２の暗証コードに更新し、携帯情報端末に"真"の判定結果及び第２の暗証コードを返信する。
【００１２】
これにより、真正品の所有者のみが、ＱＲコードに紐付された最新の暗証コードを知ることができ、第三者が商品の真正品認証タグに印刷されているＱＲコード及びＱＲコードに対応した第１の暗証コードを入力しても、最新の暗証コードを知り得ない第三者は、真偽認証サーバに問い合わせて、真正品の認証を行うことができない。
【図面の簡単な説明】
【００１３】
【図１】本発明の実施形態の真正品認証システムの概略を示すシステム構成図である。
【図２】図１中の携帯情報端末における表示画面の一例を示す図である。
【図３】図１中のデータベースの一例を示す図である。
【図４】従来例の真偽識別方法を説明するための図である。
【図５】本発明の実施形態の真正品認証方法の動作を説明するシーケンスチャートである。
【図６】本発明の他の実施形態の真正品認証システムの概略を示すシステム構成図である。
【図７】図６の真正品認証方法の動作を説明するシーケンスチャートである。
【発明を実施するための形態】
【００１４】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【００１５】
（実施形態１の構成）
図１は、本発明の実施形態の真正品認証システムの概略を示すシステム構成図である。
本発明の実施形態の真正品認証システムは、消費者が真正品の認証を欲する製品１に貼付されている真正品認証タグ２と、真正品認証タグ２のＱＲコード３を読み取って真正品認証の問合せを行う携帯情報端末１０と、携帯情報端末１０からの真正品認証の問合せを受けると真偽判定を行ってその結果を返信する真偽認証サーバ４０と、により構成されている。
【００１６】
真正品認証タグ２は、製品１を特定する情報を示すＱＲコード３と、真偽判定に使用される第１の暗証コード４と、第１の暗証コード４を隠すために使用される目隠しシール６と、を有している。
【００１７】
携帯情報端末１０は、ＱＲコード読取手段１１と、入力手段１２と、表示手段１３と、問合せ手段１４と、を有している。ＱＲコード読取手段１１は、携帯情報端末１０に搭載されたカメラで真正品認証タグ２に記録されているＱＲコード３を読み取るものである。
【００１８】
入力手段１２は、最初の認証時に第１の暗証コード４を入力し、２回目以降の認証時に第
２の暗証コード５を入力するものである。表示手段１３は、携帯情報端末１０に真正品認証システムにおいて真偽判定の結果等を表示するものである。問合せ手段１４は、ＱＲコード読取手段１１が読み取ったＱＲコード３と、入力手段１２により入力された第１の暗証コード４又は第２の暗証コード５を真偽認証サーバ４０に送信し、真正品認証の問合せを行うものである。
【００１９】
真偽認証サーバ４０は、真偽判定手段４１と、データベース４２と、暗証コード更新手段４３と、を有している。
【００２０】
最初の真正品認証時に、真偽判定手段４１は、携帯情報端末１０から送られたＱＲコード３と第１の暗証コード４に基づいて、データベース４２を参照することにより、データベース４２に記憶されているＱＲコード３と第１の暗証コード４とが共に一致しているか否かにより真偽の判定を行う。
【００２１】
データベース４２には、製品１に貼付されたＱＲコード３と、ＱＲコード３と紐付されている第１の暗証コード４、真正品認証が行われたこと等を示すフラグを含むデータが記憶されている。
【００２２】
暗証コード更新手段４３は、真偽認証サーバ４０で真偽判定を行った後、"真"と判定されたときに第１の暗証コード４を第１の暗証コード４とは異なる第２の暗証コード５に更新するものである。ここで、第２の暗証コード５は、第１の暗証コード４から予測が困難なコードであることが望ましい。暗証コード更新手段４３は、例えば、乱数発生器等を含んで構成されても良い。
【００２３】
図２は、図１中の携帯情報端末における表示画面の一例を示す図である。
図２（a）は、真偽判定の問合せを行うときの表示画面の一例である。
【００２４】
表示画面には、ＱＲコード読取部１５と、暗証コード入力部１６と、真偽判定問合せボタン１７とが表示されている。ＱＲコード読取部１５には、携帯情報端末１０のＱＲコード読取手段１１で真正品認証タグ２から読み取られたＱＲコード３が表示されている。
【００２５】
暗証コード入力部１６は、第１の暗証コード４又は更新された第２の暗証コード５を入力する領域であり、最初の真正品認証の問合せ時には、第１の暗証コード４として、例えば"6a73c2be"が入力されている。
【００２６】
真偽判定問合せボタン１７は、真偽認証サーバ４０に真正品認証の要求をする際に押下する操作ボタンである。ＱＲコード３が読み取られ、暗証コード入力部１６に第１の暗証コード４が入力された後、真偽判定問合せボタン１７を押下することにより、読み取られたＱＲコード３と入力された第１の暗証コード４が真偽認証サーバ４０に送られ、真正品認証の処理が行われる。
【００２７】
真偽認証サーバ４０は、携帯情報端末１０から受信したＱＲコード３と第１の暗証コード４について、真偽認証サーバ４０内部のデータベース４２を参照して、ＱＲコード３と第１の暗証コード４がデータベース４２の記憶内容と共に一致している場合には、製品１は真正品であると判定され、第１の暗証コード４が第２の暗証コード５に更新が行われる。このときには、真正品であるという判定結果と更新された第２の暗証コード５が携帯情報端末１０に返信されて表示される。図２（b）を見ると、真偽判定結果表示１８Ａには、例えば、「お問合せの製品は真正品です。」という表示と、更新された第２の暗証コード５の一例として"55wspp77"が表示１９されている。
【００２８】
真偽認証サーバ４０は、携帯情報端末１０から受信したＱＲコード３と第１の暗証コード４について、真偽認証サーバ４０内部のデータベース４２を参照して、ＱＲコード３と第１の暗証コード４がデータベース４２の記憶内容と一致していない場合には、製品１は偽造品であると判定され、第１の暗証コード４の更新は行われない。このときには、偽造品であるという判定結果が携帯情報端末１０に返信されて表示される。図２（c）を見ると、真偽判定結果表示１８Ｂに、例えば、「お問合せの製品は偽造品です」という表示がされている。
【００２９】
第１の暗証コード４が第２の暗証コード５へ更新された以降、２回目の真正品認証の問合せが行われる際は、図２（ａ）中の暗証コード入力部１６には、第２の暗証コード５として、例えば、"55wspp77"が入力される。以下は、最初の真正品認証の問合せと同様の処理がされるので、以下は省略する。
【００３０】
図３は、図１中のデータベースの一例を示す図である。本実施形態では、ＱＲコード３とＱＲコード３に紐付された暗証コードとフラグが記録されている。フラグは、例えば、真偽判定が実行されたか否かを示し、"0"は真偽判定が実行されていないことを示し、"1"は真偽判定が行われていることを示している。
【００３１】
図３（a）は、真正品認証が行われる前のデータベースの一例を示す図である。製品１を表すＮＯとＱＲコード３と対応する第１の暗証コード４とフラグが格納されている。ＮＯ．１の製品とＮＯ．２の製品について、異なるＱＲコード３と、それぞれのＱＲコード３に紐付された第１の暗証コード４が記録されている。図３（ａ）では、何れの製品についても、真正品認証が行われておらず、フラグは"0"である。
【００３２】
図３（b）は、真正品認証が行われた後のデータベースの一例を示す図である。この例では、ＮＯ．１の製品について、真正品認証が行われており、ＮＯ．１の第１の暗証コード４が第２の暗証コード５、例えば"55wspp77"に更新されており、フラグも"0"から"1"に更新されている。更新された第２の暗証コード５は、上述したように携帯情報端末１０に返信され、画面に表示される（図２（ｂ）参照）。
【００３３】
（実施形態の動作）
本発明の実施形態の真偽識別方法の動作について、(Ｉ)従来例の真偽識別方法の動作と、(II)本発明の実施形態の真偽識別方法の動作と、に分けて説明する。
【００３４】
(Ｉ) 従来例の真偽識別方法の動作
図４は、従来例の真偽識別方法を説明するための図である。真正品認証タグ５０は、商品コード５１と真偽識別用パターン５２から構成されている。従来例の真偽識別方法では、この真正品認証タグ５０の真偽識別用パターン５２が、予め商品コード５１に対応して図示しないデータベースに格納されている真偽識別用パターン５２の画像と一致するか否かにおいて真偽識別の判断を行うものである。消費者は、ファクシミリ又はコンピュータを用いて真偽識別用パターン５２の画像を入手し、製品１に貼付されている真偽識別用パターン５２と比較を行う。
【００３５】
消費者は、入手した真偽識別用パターン５２の画像が製品に貼付されている真偽識別用パターン５２と一致する場合には、製品を真正品であると判断し、異なる場合は偽造品であると判断する。
【００３６】
この従来の真偽識別方法は、真偽識別用パターン５２として、偽造するのが難しい天然材料又は確率論的に形成された人造の三次元材料の固有の構造特性を用いることにより偽造防止に一定の効果を奏していた。しかし、従来の真偽識別方法は、第三者が真偽識別用パターン５２を視認できるため、近年の３Ｄプリンタ等に代表される高度なコピー技術をもってすれば偽造できる可能性があり、その場合は偽造品を真正品と過って判断する虞があった。
そこで、この従来例の真偽識別方法の課題を解決するための真正品認証方法を説明する。
【００３７】
(II)本発明の実施形態の真正品認証方法の動作
図５は、本発明の実施形態の真正品認証方法の動作を説明するシーケンスチャートである。
【００３８】
図１〜図３を参照しつつ、図５に示したシーケンスチャートに沿って、本発明の実施形態の真正品認証方法の動作を説明する。
【００３９】
携帯情報端末１０の電源が投入されると、ステップＳ１に進み、真偽識別アプリケーションが起動され、ステップＳ２に進む。ステップＳ２において、携帯情報端末１０に搭載されたカメラで、製品１に貼付された真正品認証タグ２のＱＲコード３を読み取り、ステップＳ３に進む。
【００４０】
ステップＳ３において、第１の暗証コード４が入力され、真偽判定問合せボタン１７が押下されると（図２（a）参照）、ステップＳ４に進む。ステップＳ４において、読み取られたＱＲコード３と入力された第１の暗証コード４が真偽認証サーバ４０に送信され、ステップＳ５に進む。
【００４１】
ステップＳ５において、真偽認証サーバ４０は、携帯情報端末１０から送信されたＱＲコード３と第１の暗証コード４とに基づいてデータベース４２を参照し、ステップＳ６に進み、ステップＳ６において、真偽認証サーバ４２は真偽判定を行う。
【００４２】
データベース４２に記憶されているＱＲコード３と第１の暗証コード４が一致しない場合は（Ｎｏ）、ステップＳ７に進み、共に一致する場合（Ｙｅｓ）は、ステップＳ８に進む。
ステップＳ７において、真偽問合せされた製品１は偽造品であるとの結果を携帯情報端末１０に返信し、偽造品である旨の表示を携帯情報端末１０に行わせる（図２（ｃ）参照）。この場合には第１の暗証コード４の更新は行われない。
【００４３】
ステップＳ８において、第１の暗証コード４を第２の暗証コード５に更新し、ステップＳ９及びステップＳ１０に進む。ステップＳ９において、更新された第２の暗証コード５をデータベース４２に送信し、製品１のＱＲコード３に紐付された第１の暗証コード４を第２の暗証コード５に更新し、フラグを"0"から"1"に更新する。ステップＳ１０において、問合せされた製品１は真正品である旨の結果と更新された第２の暗証コード５を携帯情報端末１０に返信し表示させる（図２（ｂ）参照）。
【００４４】
（実施形態の効果）
本実施形態の真正品認証システムおよび真正品認証方法によれば、最初の購入者は、携帯情報端末１０の簡単な操作により購入した製品１の真偽を識別することができる。
【００４５】
更に、最初の購入者が別の消費者に製品１を転売したときにも、更新された第２の暗証コード５は、真偽識別を行った者しか知り得ない情報であるため、この情報を次の購入者に知らせることにより、真偽判定の方法を引き継ぐことができるため、転売するたびに、購入者が真正品認証の問合せを行うことができる。
【００４６】
（他の実施形態）
図６は、本発明の他の実施形態の真正品認証システムの概略を示すシステム構成図であり、図１と共通の要素には共通の符号が付されている。
【００４７】
図６における真正品認証タグ２及び携帯情報端末１０は、図１における真正品認証タグ２及び携帯情報端末１０と同じであり、真偽認証サーバ４０Ａの構成が異なっている。真偽認証サーバ４０Ａは、真偽認証サーバ４０に課金手段４４が追加されている。
【００４８】
課金手段４４は、真正品認証の問合せを行った携帯情報端末１０を認識して、その所有者に対して課金を行うものである。課金手段４４における課金のルールとして、真正品認証の問合せをする毎に課金しても良いし、真正品認証の問合せに対して真偽認証サーバ４０Ａが真正品であると判定した場合のみ課金するようにしても良い。
【００４９】
図７は、本発明の他の実施形態の動作を説明するためのシーケンスチャートであり、図５と共通の処理には共通の符号が付されている。
【００５０】
携帯情報端末１０の電源が投入されると、ステップＳ１に進み、真偽識別アプリケーションが起動され、ステップＳ２に進む。以降、図５中のステップＳ２〜Ｓ１０の処理が行われ、ステップＳ１１へ進む。ステップＳ１１において、真偽認証を行う毎に携帯情報端末１０の所有者に課金が行われる。
【００５１】
（変形例）
本発明は、上記実施形態に限定されず、種々の利用形態や変形例が可能である。この利用形態や変形例として、例えば、以下のようなものがある。
【００５２】
本発明の実施形態の説明では、第１の暗証コード４は、目隠しシール６で覆われていると説明したが、第１の暗証コード４を製品の消費者に真正品認証を行う権利を付与する方法は、第１の暗証コード４を目隠しシール６で覆う方法に限らない。第１の暗証コード４を記載した製品の保証書等を消費者に手渡す等の方法がある。
【００５３】
本発明の実施形態の真正品認証方法の動作を説明する図５及び図７に示したシーケンスチャートでは、真正品であると判定された場合に、真偽認証サーバ４０及び４０Ａが"真"である結果と更新された第２の暗証コード５を携帯情報端末１０へ送信し、携帯情報端末１０は、真正品認証の問合せをした製品１が真正品である旨及び更新された第２の暗証コード５を表示すると説明したが、真偽認証サーバ４０及び４０Ａが"真"である結果のみを携帯情報端末１０へ送信し、携帯情報端末１０は、真正品認証の問合せをした製品１が真正品である旨のみを表示するようにしても良い。そうすると、真正品認証の問合せは１回しかできなくなるが、偽造品を作る目的で真正品を購入し、真正品認証の問合せを行って第２の暗証コード５を入手しようとしても、真正品認証の問合せは１回しかできず、真正品認証後の更新された第２の暗証コードを入手できない。
【００５４】
以上、本発明の実施形態について説明したが、本発明は、上述した実施形態に限定されるものではなく、本発明の趣旨を逸脱しない範囲内で種々の構成又は実施形態を採ることができる。
【符号の説明】
【００５５】
１            製品
２、５０      真正品認証タグ
３            ＱＲコード
４            第１の暗証コード
５            第２の暗証コード
６            目隠しシール
１０            携帯情報端末
１１            ＱＲコード読取手段
１２            入力手段
１３            表示手段
１４            問合せ手段
１５            ＱＲコード読取部
１６            暗証コード入力部
１７            真偽判定問合せボタン
１８Ａ          真偽判定結果表示（真正品のとき）
１８Ｂ          真偽判定結果表示（偽造品のとき）
１９            更新された暗証コード表示
２０            無線ネットワーク
４０，４０Ａ    真偽認証サーバ
４１            真偽判定手段
４２            データベース
４３            暗証コード更新手段
４４            課金手段
５１            商品コード
５２            真偽識別用パターン
【図１】
2017091450.tif 000003
【図２】
2017091450.tif 000004
【図３】
2017091450.tif 000005
【図４】
2017091450.tif 000006
【図５】
2017091450.tif 000007
【図６】
2017091450.tif 000008
【図７】
2017091450.tif 000009